(57)【要約】【課題】ＤＵＴＩＦをテストヘッドに、短時間で、自動的に容易に接続できるＤＵＴＩＦ接続システムを実現する。【解決手段】ＤＵＴＩＦに設けられテストヘッドとＤＵＴＩＦとの接続を監視する監視センサと、この監視センサの検知信号に基づき前記テストヘッドに前記ＤＵＴＩＦを接続する接続手段とを具備するＤＵＴＩＦ接続システムにおいて、前記ＤＵＴＩＦと前記テストヘッドとの間に設けられ前記テストヘッドから前記監視センサに電源を供給し前記監視センサの検知信号を前記テストヘッドに伝達し前記テストヘッドからの指令に基づき前記ＤＵＴＩＦを自動的に下降させて前記ＤＵＴＩＦを前記テストヘッドに電気的に接続する自動動作の信号伝達手段を具備したことを特徴とするＤＵＴＩＦ接続システムである。【選択図】図１
2009150736.tif 000002
【特許請求の範囲】
【請求項１】
ＤＵＴＩＦに設けられテストヘッドとＤＵＴＩＦとの接続を監視する監視センサと、この監視センサの検知信号に基づき前記テストヘッドに前記ＤＵＴＩＦを接続する接続手段とを具備するＤＵＴＩＦ接続システムにおいて、
前記ＤＵＴＩＦと前記テストヘッドとの間に設けられ前記テストヘッドから前記監視センサに電源を供給し前記監視センサの検知信号を前記テストヘッドに伝達し前記テストヘッドからの指令に基づき前記ＤＵＴＩＦを自動的に下降させて前記ＤＵＴＩＦを前記テストヘッドに電気的に接続する自動動作の信号伝達手段
を具備したことを特徴とするＤＵＴＩＦ接続システム。
【請求項２】
前記自動動作の信号伝達手段は、
ＤＵＴＩＦのテストヘッド対向面に設けられ前記監視センサに電気的に接続される複数のパッドと、
この複数のパッドに一端がそれぞれ対向して設けられ前記テストヘッドと電気的に接続される複数のポゴピンと、
このポゴピンの他端が取り付けられる支持手段と、
この支持手段に一端が接続され他端が前記テストヘッドに接続されて前記ＤＵＴＩＦを前記テストヘッドに接続するための接続ストロークを吸収する接続ストローク吸収手段と
を具備したことを特徴とする請求項１記載のＤＵＴＩＦ接続システム。
【請求項３】
前記接続ストローク吸収手段は、ばね手段が使用されたこと
を特徴とする請求項１又は請求項２記載のＤＵＴＩＦ接続システム。
【請求項４】
前記ばね手段は、前記支持手段に一端が接続され他端が前記テストヘッドに挿入されるガイド棒と、
前記支持手段と前記テストヘッドとの間に設けられ前記ガイド棒に巻回されるコイルスプリングと
を具備したことを特徴とする請求項１乃至請求項３の何れかに記載のＤＵＴＩＦ接続システム。
【発明の詳細な説明】
【技術分野】
【０００１】
本発明は、ＤＵＴＩＦをテストヘッドに接続するＤＵＴＩＦ接続システムに関するものである。
ここで、ＤＵＴＩＦとは、ＤＵＴのインターフェースユニットである。
更に詳述すれば、ＤＵＴＩＦをテストヘッドに自動的に容易に接続できるＤＵＴＩＦ接続システムに関するものである。
【背景技術】
【０００２】
ＤＵＴＩＦ接続システムに関連する先行技術文献としては次のようなものがある。
【０００３】
【特許文献１】特開２００３−０２８８９４号公報
【０００４】
図４は従来より一般に使用されている従来例の要部構成説明図である。
図において、テストヘッド１には、載置されるＤＵＴＩＦ２が設けられている。
ＺＩＦ（ＺｅｒｏＩｎｓｅｒｔ  Ｆｏｒｃｅ）コネクタ３は、テストヘッド１とＤＵＴＩＦ２との間に設けられ、ＺＩＦコネクタ３がコネクタ接続されることにより、テストヘッド１とＤＵＴＩＦ２とは電気的に接続される。
【０００５】
監視センサ４は、ＤＵＴＩＦ２に設けられ、ＺＩＦコネクタ３のＬＯＣＫかＵＮＬＯＣＫかを監視する。
テストヘッド１に設けられたＵＤＣＮＴ（ＵＰ／ＤＯＷＮ  ＣＯＮＴＲＯＬ）５は、ＤＵＴＩＦ２に設けられたコネクタ６を介して監視センサ４に接続されている。
【０００６】
ＤＯＷＮスイッチ７は、テストヘッド１に設けられ、監視センサー４でＺＩＦコネクタ３がＵＮＬＯＣＫを確認しないとＤＵＴＩＦ２は降下しない仕組みになっており、ＵＮＬＯＣＫ状態を確認した後、ＤＯＷＮスイッチ７を手動でＯＮにすることにより、ＤＵＴＩＦ２は下降して、テストヘッド１とＤＵＴＩＦ２とはコネクタ接続される。
【０００７】
以上の構成において、テストヘッド１とＤＵＴＩＦ２とのコネクタ接続は、以下の如くして行われる。
１．テストヘッド１の上方にＤＵＴＩＦ２を載せる。
２．テストヘッド１からのコネクタ６をＤＵＴＩＦ２に設けられた相手側のコネクタ６に接続する。
【０００８】
３．ＤＵＴＩＦ２のＺＩＦコネクタ３がＵＮＬＯＣＫとなっていることを監視センサー４で確認する。
(監視センサー４でＺＩＦコネクタ３が、ＵＮＬＯＣＫを確認しないと、ＤＵＴＩＦ２は降下しない仕組みになっている。)
４．ＤＵＴＩＦ２をＤＯＷＮスイッチ７により降下する。
【０００９】
要するに、テストヘッド１の上部にＤＵＴＩＦ２を配置する。
テストヘッド１とＤＵＴＩＦ２とを、コネクタ６を用い外部側から接続し、監視センサー４を動作させる。
監視センサー４で、ＺＩＦコネクタ３のＵＮＬＯＣＫ状態を確認できたら、ＤＯＷＮスイッチ７を、手動で押す。
ＤＵＴＩＦ２が下降して、テストヘッド１にＤＵＴＩＦ２が接続される。
【発明の開示】
【発明が解決しようとする課題】
【００１０】
このような装置においては、以下の間題点がある。
まず、コネクタ６を接続しないと、監視センサー４がＺＩＦコネクタ３のＵＮＬＯＣＫを認識出来ない。
【００１１】
またＤＵＴＩＦ２はＺＩＦコネクタ３のＵＮＬＯＣＫを確認後、手動でＤＯＷＮスイッチ７を押さないとＤＵＴＩＦ２は降下せず実装が出来ない。
コネクタ６を取り付けるのに時間がかかる。
実装するまでの工程が多く、コストが掛かる。
【００１２】
本発明の目的は、上記の課題を解決するもので、ＤＵＴＩＦをテストヘッドに、短時間で、自動的に容易に接続できるＤＵＴＩＦ接続システムに関するものである。
【課題を解決するための手段】
【００１３】
このような課題を達成するために、本発明では、請求項１のＤＵＴＩＦ接続システムにおいては、
ＤＵＴＩＦに設けられテストヘッドとＤＵＴＩＦとの接続を監視する監視センサと、この監視センサの検知信号に基づき前記テストヘッドに前記ＤＵＴＩＦを接続する接続手段とを具備するＤＵＴＩＦ接続システムにおいて、前記ＤＵＴＩＦと前記テストヘッドとの間に設けられ前記テストヘッドから前記監視センサに電源を供給し前記監視センサの検知信号を前記テストヘッドに伝達し前記テストヘッドからの指令に基づき前記ＤＵＴＩＦを自動的に下降させて前記ＤＵＴＩＦを前記テストヘッドに電気的に接続する自動動作の信号伝達手段を具備したことを特徴とするＤＵＴＩＦ接続システム。
【００１４】
本発明の請求項２のＤＵＴＩＦ接続システムにおいては、請求項１記載のＤＵＴＩＦ接続システムにおいて、
前記自動動作の信号伝達手段は、ＤＵＴＩＦのテストヘッド対向面に設けられ前記監視センサに電気的に接続される複数のパッドと、この複数のパッドに一端がそれぞれ対向して設けられ前記テストヘッドと電気的に接続される複数のポゴピンと、このポゴピンの他端が取り付けられる支持手段と、この支持手段に一端が接続され他端が前記テストヘッドに接続されて前記ＤＵＴＩＦを前記テストヘッドに接続するための接続ストロークを吸収する接続ストローク吸収手段とを具備したことを特徴とする。
【００１５】
本発明の請求項３のＤＵＴＩＦ接続システムにおいては、請求項１又は請求項２記載のＤＵＴＩＦ接続システムにおいて、
前記接続ストローク吸収手段は、ばね手段が使用されたことを特徴とする。
【００１６】
本発明の請求項４のＤＵＴＩＦ接続システムにおいては、請求項１乃至請求項３の何れかに記載のＤＵＴＩＦ接続システムにおいて、
前記ばね手段は、前記支持手段に一端が接続され他端が前記テストヘッドに挿入されるガイド棒と、前記支持手段と前記テストヘッドとの間に設けられ前記ガイド棒に巻回されるコイルスプリングとを具備したことを特徴とする。
【発明の効果】
【００１７】
本発明の請求項１によれば、次のような効果がある。
ＤＵＴＩＦとテストヘッドとの間に設けられ、テストヘッドから監視センサに電源を供給し、監視センサの検知信号をテストヘッドに伝達し、テストヘッドからの指令に基づきＤＵＴＩＦを自動的に下降させて、ＤＵＴＩＦをテストヘッドに電気的に接続する自動動作の信号伝達手段が設けられた。
【００１８】
したがって、監視センサを動作させるためのコネクタ接続を行うために、接続場所まで動く必要がなく時間が短縮できる。
また、ＤＵＴＩＦを下降させ、テストヘッドにＺＩＦコネクタ接続するための手動スイッチ動作が必要がなく、ＤＵＴＩＦの実装について工程の削減および誤操作が排除できて、ＤＵＴＩＦをテストヘッドに自動的に容易に接続できるＤＵＴＩＦ接続システムが得られる。
【００１９】
本発明の請求項２によれば、次のような効果がある。
前記自動動作の信号伝達手段は、ＤＵＴＩＦのテストヘッド対向面に設けられ、監視センサに電気的に接続される複数のパッドと、複数のパッドに一端がそれぞれ対向して設けられテストヘッドと電気的に接続される複数のポゴピンと、ポゴピンの他端が取り付けられる支持手段と、支持手段に一端が接続され他端がテストヘッドに接続されてＤＵＴＩＦをテストヘッドに接続するための接続ストロークを吸収する接続ストローク吸収手段とが設けられたので、パッドとポゴピンとにより確実に電気的接続が確保できるＤＵＴＩＦ接続システムが得られる。
【００２０】
本発明の請求項３によれば、次のような効果がある。
接続ストローク吸収手段は、ばね手段が使用されたので、接続ストロークを簡単な構成で、容易に吸収できるＤＵＴＩＦ接続システムが得られる。
【００２１】
本発明の請求項４によれば、次のような効果がある。
ばね手段は、支持手段に一端が接続され、他端がテストヘッドに挿入されるガイド棒と、支持手段とテストヘッドとの間に設けられ前記ガイド棒に巻回されるコイルスプリングとが設けられたので、ばね手段は、確実に脱落が防止でき、接続ストロークを確実に吸収できるＤＵＴＩＦ接続システムが得られる。
【発明を実施するための最良の形態】
【００２２】
以下本発明を図面を用いて詳細に説明する。
図１は本発明の一実施例の要部構成説明図、図２は図１の要部構成説明図、図３は図２の動作説明図である。
図において、図４と同一記号の構成は同一機能を表す。
以下、図４との相違部分のみ説明する。
【００２３】
図１において、自動動作の信号伝達手段１１は、ＤＵＴＩＦ２とテストヘッド１との間に設けられ、テストヘッド１から監視センサ４に電源を供給し、監視センサ４の検知信号をテストヘッド１に伝達し、テストヘッド１からの指令に基づきＤＵＴＩＦ２を自動的に下降させて、ＤＵＴＩＦ２をテストヘッド１に電気的に接続する。
この場合は、自動動作の信号伝達手段１１は、複数のパッド１１１、複数のポゴピン１１２、支持手段１１３と、接続ストローク吸収手段１１４とを有する。
【００２４】
複数のパッド１１１は、ＤＵＴＩＦ２のテストヘッド１の対向面に設けられ、監視センサ４に電気的に接続される。
複数のポゴピン１１２は、複数のパッド１１１に一端がそれぞれ対向して設けられ、テストヘッド１と電気的に接続される。
【００２５】
支持手段１１３は、ポゴピン１１２の他端が取り付けられる。
接続ストローク吸収手段１１４は、支持手段１１３に一端が接続され、他端がテストヘッド１に接続されて、ＤＵＴＩＦ２をテストヘッド１に接続するための接続ストロークを吸収する。
【００２６】
接続ストローク吸収手段１１４は、この場合は、ばね手段１１４１が使用されている。
この場合は、ばね手段１１４１は、ガイド棒１１４２とコイルスプリング１１４３とを有する。
【００２７】
ガイド棒１１４２は、支持手段１１３に一端が接続され、他端がテストヘッド１に挿入される。
コイルスプリング１１４３は、支持手段１１３とテストヘッド１との間に設けられ、ガイド棒１１４２に巻回されている。
【００２８】
以上の構成において、
１．テストヘッド１の上方にＤＵＴＩＦ２を載せる。
２．自動動作の信号伝達手段１１により、テストヘッド１からの電源がセンサー４に供給されているので、監視センサー４でＤＵＴＩＦ２のＺＩＦコネクタ３がＵＮＬＯＣＫとなっていることを確認する。
【００２９】
３．監視センサー４のＵＮＬＯＣＫの確認信号は、パッド１１１からポゴピン１１２を伝いテストヘッド１内にあるＵＤＣＮＴ５へ伝達される。
４．ＵＤＣＮＴ５は、ＤＵＴＩＦ２のＤＯＷＮ可能と判断し自動降下の指示を出し、ＤＵＴＩＦ２はテストヘッド１にコネクタ３の接続がされる。
【００３０】
この場合は、支持手段１１３の先端は、ポゴピン１１２の先端より５ｍｍ程低くされている。
したがって、ポゴピン１１２は、ＤＵＴＩＦ２が、テストヘッド１の上方にＤＵＴＩＦ２が乗せられた場合に、パッド１１１と接触し、５ｍｍ程ポゴピン１１２が下がる。
ＤＵＴＩＦ２の降下の時は、ポゴピン１１２が５ｍｍ程下がったまま、ＤＵＴＩＦ２の荷重で接続ストローク吸収手段１１４のコイルスプリング１１４３を押す形で下がるようにする。
【００３１】
図３（ａ）は、ＤＵＴＩＦ２が、テストヘッド１に載ってない状態。
図３（ｂ）は、テストヘッド１の上方にＤＵＴＩＦ２を載せた状態を示す。
ＤＵＴＩＦ２を、テストヘッド１の上方に載せると、ＤＵＴＩＦ２の荷重により、ポゴピン１１２がパッド１１１と接触し、支持手段１１３の高さまでＤＵＴＩＦ２が下がる。
【００３２】
図３（ｃ）は、ＤＵＴＩＦ２が下降して、ＤＵＴＩＦ２がテストヘッド１にコネクタ接続された状態を示す。
監視センサ４で検知されたＺＩＦコネクタ３のＵＮＬＯＣＫ信号を、ポゴピン１１２を介して、テストヘッド１内のＵＤＣＮＴ５の基板が受け取ると、ＵＤＣＮＴ５はＤＵＴＩＦ２のＤＯＷＮ可能を判断し自動降下する。この時ＤＵＴＩＦ２の荷重で自動動作の信号伝達手段１１のコイルスプリング１１４３が縮み降下する。
【００３３】
条件（ＺＩＦコネクタ３のＵＮＬＯＣＫ）が揃えばテストヘッド１にＤＵＴＩＦ２を載せるだけで自働で降下する。
監視センサ４がＬＯＣＫの状態では図３（ｂ）のままの状態で降下しない。
【００３４】
この結果、
ＤＵＴＩＦ２とテストヘッド１との間に設けられ、テストヘッド１から監視センサ４に電源を供給し、監視センサ４の検知信号を、テストヘッド１に伝達し、テストヘッド１からの指令に基づき、ＤＵＴＩＦ２を自動的に下降させて、ＤＵＴＩＦ２をテストヘッド１に電気的に接続する自動動作の信号伝達手段が設けられた。
【００３５】
したがって、監視センサ４を動作させるためのコネクタ６の接続を行うために、接続場所まで動く必要がなく時間が短縮できる。
また、ＤＵＴＩＦ２を下降させ、テストヘッド１にＺＩＦコネクタ３の接続をするための手動スイッチ７動作が必要がなく、ＤＵＴＩＦ２の実装について工程の削減および誤操作が排除できて、ＤＵＴＩＦ２をテストヘッド１に自動的に容易に接続できるＤＵＴＩＦ接続システムが得られる。
【００３６】
自動動作の信号伝達手段１１は、ＤＵＴＩＦ２のテストヘッド１の対向面に設けられ、監視センサ４に電気的に接続される複数のパッド１１１と、複数のパッド１１１に一端がそれぞれ対向して設けられテストヘッド１と電気的に接続される複数のポゴピン１１２と、ポゴピン１１２の他端が取り付けられる支持手段１１３と、支持手段１１３に一端が接続され他端がテストヘッド１に接続されてＤＵＴＩＦ２をテストヘッド１に接続するための接続ストロークを吸収する接続ストローク吸収手段１１４とが設けられた。
【００３７】
したがって、パッド１１１とポゴピン１１２とにより確実に電気的接続が確保できるＤＵＴＩＦ接続システムが得られる。
【００３８】
接続ストローク吸収手段１１４は、ばね手段１１４１が使用されたので、接続ストロークを容易に吸収できるＤＵＴＩＦ接続システムが得られる。
【００３９】
ばね手段１１４１は、支持手段１１３に一端が接続され、他端がテストヘッド１に挿入されるガイド棒１１４２と、支持手段１１３とテストヘッド１との間に設けられ、ガイド棒１１４２に巻回されるコイルスプリング１１４３とが設けられたので、ばね手段１１４１は、確実に脱落が防止でき、接続ストロークを確実に吸収できるＤＵＴＩＦ接続システムが得られる。
【００４０】
なお、ＤＵＴＩＦ２の実装の有無を、テストヘッド１のメモリに残しておくと、テストヘッド１にＤＵＴＩＦ２が実装されているか否かが容易に分かるＤＵＴＩＦ接続システムが得られる。
コンソールでＤＵＴＩＦ２のＵＰ／ＤＯＷＮを制御することが出来るようにもなるＤＵＴＩＦ接続システムが得られる。
また、どのタイプのＤＵＴＩＦ２がテストヘッド１に載っているという情報も搭載させることで、操作者が装置のある場所まで出かけて確かめる必要がなくなるＤＵＴＩＦ接続システムが得られる。
【００４１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４２】
【図１】本発明の一実施例の要部構成説明図である。
【図２】図１の要部構成説明図である。
【図３】図１の動作説明図である。
【図４】従来より一般に使用されている従来例の構成説明図である。
【符号の説明】
【００４３】
１        テストヘッド
２        ＤＵＴＩＦ
３        ＺＩＦコネクタ
４        監視センサ
５        ＵＤＣＮＴ
６        コネクタ
７        ＤＯＷＮスイッチ
１１      自動動作の信号伝達手段
１１１    パッド
１１２    ポゴピン
１１３    支持手段
１１４    接続ストローク吸収手段
１１４１  ばね手段
１１４２  ガイド棒
１１４３  コイルスプリング
【図１】
2009150736.tif 000003
【図２】
2009150736.tif 000004
【図３】
2009150736.tif 000005
【図４】
2009150736.tif 000006